(57)【要約】      （修正有）【課題】カードの挿抜性を維持しながら、カード取り出し時にもカードの放熱を行う。【解決手段】記録媒体５を着脱可能な電子機器であって、記録媒体を取り出すための排出機構と、第１の放熱部４４と、第２の放熱部４８と、を有する。排出機構４７は、記録媒体を排出方向に押圧する押圧部材４７１と、ユーザーの操作に応じて押圧部材とは異なる方向に移動し、押圧部を駆動する駆動部材４７２、４７３とで構成され、第１の放熱部は、記録媒体が挿入されている時に押圧部材に接触し、第２の放熱部材は、少なくとも記録媒体の排出動作中には押圧部材または駆動部材に接触することを特徴とする構成とした。【選択図】図４
2018148024.tif 000002
【特許請求の範囲】
【請求項１】
記録媒体を着脱可能な電子機器であって、
前記記録媒体を取り出すための排出機構と、
第１の放熱部と、
第２の放熱部と、を有し、
前記排出機構は、前記記録媒体を排出方向に押圧する押圧部材と、
ユーザーの操作に応じて前記押圧部材とは異なる方向に移動し、前記押圧部を駆動する駆動部材とで構成され、
前記第１の放熱部は、前記記録媒体が挿入されている時に前記押圧部材に接触し、
前記第２の放熱部材は、少なくとも前記記録媒体の排出動作中には前記押圧部材または前記駆動部材に接触する事を特徴とする電子機器。
【請求項２】
前記第１の放熱部材は、第１の筐体に主に放熱を行い、前記第２の放熱部材は、第２の筐体に放熱を行う事を特徴とする請求項１に記載の電子機器。
【請求項３】
前記記録媒体の排出中には、前記駆動部材と前記記録媒体の接触面積が増加する事を特徴とする請求項１または２に記載の電子機器。
【請求項４】
前記第２の放熱部は、前記記録媒体の排出動作において、前記記録媒体のコネクタ部の接続が解除された後に、前記押圧部材または前記駆動部材と接触する事を特徴とする請求項１乃至３の何れか一項に記載の電子機器。
【請求項５】
前記第２の放熱部は、前記駆動部材の移動速度を低下させる力を発生させることを特徴とする請求項１乃至４の何れか一項に記載の電子機器。
【発明の詳細な説明】
【技術分野】
【０００１】
本発明は、記録媒体を着脱可能な電子機器に関するものである。
【背景技術】
【０００２】
従来、デジタルカメラ等のカード型記録装置を着脱可能な電子機器において、カード型記録装置が発生する熱を、カードスロット等を介して電子機器の筐体に放熱する構成が提案されてきた。例えば、特許文献１ではカード型記録装置収納部のカバーユニットがカード型記録装置と接触し、カード型記録装置で発生した熱を外部へ放出する構成が開示されている。また、特許文献２ではカード型記録装置用コネクタに金属薄板を配置し、カード型記録装置挿入時に金属薄板が接触することで、カード型記録装置の熱を放熱する構成が開示されている。
【先行技術文献】
【特許文献】
【０００３】
【特許文献１】特開２０１２−２３１３１号公報
【特許文献２】特許第４９６２８７１号公報
【発明の概要】
【発明が解決しようとする課題】
【０００４】
上述の特許文献１に開示された従来技術では、カード型記録装置を挿入しカバーユニットを閉じた状態では、カード型記録装置の熱を放熱する事が可能だが、ユーザーがカバーユニットを開放し、カード型記録装置を取り出す操作を行っている最中は、放熱経路がなくなるためカード型記録装置の熱を効果的に放熱する事が困難である。このため、ユーザーが触れるまでの間に十分にカード型記録装置の温度が下がらず、ユーザーが違和感を感じる恐れがある。
【０００５】
また、特許文献２に開示された従来技術では、放熱用の金属薄板が常にカード型記録装置と接触し放熱を行う構成のためカード型記録装置排出中も放熱を行う事は可能だが、常にカード型記録装置と金属薄板の間で摩擦力が発生するため、カード型記録装置の着脱時の操作感を低下させてしまう恐れがある。
【０００６】
そこで、本発明の目的は、カード型記録装置の着脱時の操作感を損なわずに、カード型記録装置の取り出し時においても十分な放熱を行う事が出来る手段を提供する事である。
【課題を解決するための手段】
【０００７】
上記を達成するために、本発明の電子機器は、記録媒体を着脱可能な電子機器であって、前記記録媒体を取り出すための排出機構と、第１の放熱部と、第２の放熱部と、を有し、前記排出機構は、前記記録媒体を排出方向に押圧する押圧部材と、ユーザーの操作に応じて前記押圧部材とは異なる方向に移動し、前記押圧部を駆動する駆動部材とで構成され、前記第１の放熱部は、前記記録媒体が挿入されている時に前記押圧部材に接触し、前記第２の放熱部材は、少なくとも前記記録媒体の排出動作中には前記押圧部材または前記駆動部材に接触する事を特徴とする。
【発明の効果】
【０００８】
本発明によれば、カード型記録装置の着脱時の操作感を損なわずに、ユーザーがカード型記録装置に触る直前まで、カード型記録装置の温度を下げる事が可能となる。
【図面の簡単な説明】
【０００９】
【図１】本発明の実施例１に係る、カメラシステムの構成を示す図である。
【図２】本発明の実施例１に係る、カメラシステムの構成を示す図である。
【図３】本発明の実施例１に係る、カードスロットの構成を示す図である。
【図４】本発明の実施例１に係る、カードスロットの構成を示す図である。
【図５】本発明の実施例１に係る、カードスロットの構成を示す図である。
【図６】本発明の実施例１に係る、カードスロットの構成を示す図である。
【図７】本発明の実施例２に係る、カードスロットの構成を示す図である。
【図８】本発明の実施例２に係る、カードスロットの構成を示す図である。
【発明を実施するための形態】
【００１０】
以下に、本発明の好ましい実施の形態を、添付の図面に基づいて詳細に説明する。
（実施例１）
本発明の第１の実施形態について説明を行う。図1は本発明のカメラのシステムを説明する図である。図1において１はカメラを、２は複数のレンズユニットを、３はカメラとレンズユニットのインターフェイスを、４はカメラ１上に設けられた操作手段を、５はカード型記録装置を、６はカードリーダーを、８はＰＣを、７はカードリーダーとＰＣを接続するケーブルをそれぞれ示している。
【００１１】
カメラ１にはインターフェイス３を介して複数のレンズユニット２が取り付け可能となっている。これにより撮影意図に適した画角や焦点深度での撮影が可能となっている。カメラ１上には操作手段４が設けられており、後述するようにこれらを操作することで動画撮影／記録が行われる。カード型記録装置５は動画記録時においてはカメラ１内に挿入され、いわゆる動画ファイルが記録される。記録後は、カメラ１から取り出され（抜去）、カードリーダーに挿入され、ケーブル７を介して動画ファイルがＰＣに送られる。ここでは模式的にＰＣとしたが、別の情報端末や、ネットワーク上のサーバなどでも良い。
【００１２】
ここで、カード型記録装置５はカメラ１やカードリーダー６に挿入／抜去されるという特徴がある。また、カード型記録装置５は可搬性や検索性（ラベルなどの貼り易さ）などから扁平で薄い形状でありいわゆるカード形状を為すという特徴を有する。
【００１３】
図２はカメラおよびカード型記録装置の電気的構成を示すブロック図である。図２において図１と同じ機能／意味のものには同じ番号を付した。図２（ａ）はカメラ１の電気的構成を示すブロック図である。図２（ａ）において、１０はカメラシステム制御回路を、１１はメモリ手段を、１２は撮像素子を、１３は画像処理部を、１４は表示手段を、１５はカメラ１内の伝熱手段を、１６はカメラ１から外部に熱が逃げる様子を模式的に示す矢印を、２０はレンズシステム制御回路を、２１はレンズ駆動手段を、２２は撮影光学系を、２３は撮影光学系の光軸を、それぞれ示している。
【００１４】
操作手段４は図１に示したレリーズボタン等を含み、ユーザーの操作に応じて撮像操作の動作が制御される。撮像素子１２は撮影光学系２２から得られた像を取得する。カメラシステム制御回路１０、レンズシステム制御回路２０及びレンズ駆動手段２１は撮影光学系２２の状態を変化させる。一例として、撮影光学系２２の予定結像面が撮像素子１２の位置にくるように調整を行う。（いわゆるピント合わせ）別の調整の例として、撮像素子１２から得られた信号の大きさに基づいて、絞り制御や蓄積状態を制御し明るさの調整を行う（いわゆる露出制御）。
【００１５】
前述のようにピントや露出が適切な状態に調整されたのち、撮像素子１２で得られた信号は、表示手段１４に提示される。画像処理部１３は、内部にＡ／Ｄ変換器、ホワイトバランス調整回路、ガンマ補正回路、補間演算回路等を有しており、記録用の画像を生成することができる。また、画像処理部１３ は、予め定められた方法を用いて画像、動画、音声などの圧縮を行う。メモリ手段１１は実際の記憶部を備えている。また、内部にカード型記録装置５を挿入することが可能である。カメラシステム制御回路１０の指示により、画像処理部１３で生成された動画ファイルの記録をカード型記録装置５に対して行う。
【００１６】
カメラシステム制御回路１０は撮像の際のタイミング信号などを生成して出力する。外部操作に応動してカメラ１内の各部をそれぞれ制御する。例えば、操作手段４によるシャッタレリーズ釦の操作を検出して、撮像素子６の駆動、画像処理部１９の動作、圧縮処理などを制御する。さらに表示手段１４に情報表示を行う情報表示装置の各セグメントの状態を制御する。
【００１７】
制御系の光学系の調整動作について説明する。カメラシステム制御回路１０には画像処理部１３が接続されており、撮像素子１２からの信号を元に適切な焦点位置、絞り位置を求める。カメラシステム制御回路１０は、インターフェイス３を介してレンズシステム制御回路２０に指令を出す。レンズシステム制御回路２０はレンズ駆動手段２１を適切に制御する。これにより前述したピント合わせや露出制御がなされる。
【００１８】
伝熱手段１５はカメラ１内に設けられており、本実施例では金属製の筐体である。ヒートパイプ、グラファイトシートなどで構成しても良い。カメラ１内での熱源である画像処理部１３およびメモリ手段１１とカメラ１上の放熱部分（外装など）を熱的に接続する。結果として矢印１６で示すようにカメラ１から周囲の空気に自然対流、放射などによって熱が放出される。
【００１９】
図２（ｂ）はカード型記録装置５の電気的構成を示すブロック図である。図２（ｂ）において、２４はホスト電源を、２５はホストコントローラを、２６はカード型記録装置５のインターフェイス（カードインターフェイス）を、２７は電源ＩＣを、２８はカードコントローラを、２９はフラッシュメモリをそれぞれ示している。図２（ｂ）でいうホストとはカメラ１のことを指す。図２（ｂ）ではフラッシュメモリ２９が一つであるように図示したが、これは概念的な図であって、カードコントローラ２８に対して複数のフラッシュメモリ２９が対応するような構造でも良い。
【００２０】
カード型記録装置５とカメラ１はカードインターフェイス２６を介して電気的に接続される。インターフェイスの物理構造／信号等の仕様はカード型記録装置５の規格として定められており、規格に沿うことで互換性が確保される。カードインターフェイス２６には電源供給のための接点と、信号伝達のための接点があり、それぞれ電源供給のための接点はホスト電源２４と電源ＩＣ２７を接続し、信号伝達のための接点はホストコントローラ２５とカードコントローラ２８を接続する。ここでいうホスト電源２４とは、カメラ１に備えられるバッテリーおよび電源ＩＣなどからなる安定的な電源を指す。
【００２１】
電源ＩＣ２７ではカードコントローラ２８およびフラッシュメモリ２９に必要な電圧レベルを作成しそれぞれに対して供給する。カードコントローラ２８はエラー訂正、ブロック管理、ウェアレベリング等の機能を備え、ホストコントローラ２５およびフラッシュメモリ２９へのインターフェイスを備える。これによりホストコントローラ２５から送られてきたデータをフラッシュメモリ２９に記録したり、フラッシュメモリ２９に記録されたデータをホストコントローラ２５に送出したりできる。カメラ１に挿入された場合には、メモリ手段１１を介して、動画ファイルを記録したり、ファイルを読み出して再生し、表示手段１４に提示したりできる。
【００２２】
図３（ａ）はカメラ１とカード型記録装置５の関係を説明する図である。図３（ａ）において、図１および図２と同じ機能のものには同じ番号を付した。図３（ａ）において、４ａは操作手段４のうちスロットカバーを開けるための操作部を、３０はカメラ１に設けられたスロット蓋を、３０ａはスロット蓋３０に設けられたフックを、３１はスロットを、４６は後述するスロットカバーが有するイジェクトボタンをそれぞれ示している。
【００２３】
ユーザーがカメラ１にカード型記録装置５を挿入する場合は、操作手段４ａを操作する。これによりスロット蓋３０に設けられたフック３０ａの係合が外れてスロット蓋３０が開く。その後図３（ａ）に示すようにカード型記録装置５をスロット３１に挿入する。スロット３１にはイジェクタ機構が設けられており、カード型記録装置５を挿入することでイジェクトボタン４６が突出する構造となっている。また、図３（ａ）に示した機器では、同種または異種のカード型記録装置５が２枚平行に挿入できるように形成されている。すなわちスロットは２つ並んで設けられている。
【００２４】
挿入したのちスロット蓋３０を閉じることでカメラ１とカード型記録装置５が通信可能な状態となる。カメラ１にはスロット蓋３０の開閉を検知するための不図示のスイッチがあり、スロット蓋３０が閉じられたことを検知すると、カード型記録装置５の有無をチェックして、カード型記録装置５が存在する場合は通信可能な状態とする。一方でスロット蓋３０が開けられたことを検知すると、記録などを速やかに終了させる処理を行う。
【００２５】
ユーザーがカメラ１からカード型記録装置５を取り出す場合は、操作手段４ａを操作する。これによりスロット蓋３０に設けられたフック３０ａの係合が外れてスロット蓋３０が開く。その後図３（ａ）に示したイジェクトボタン４６を押し込むことでつかみやすい位置までカード型記録装置５が排出される。ユーザーはカード型記録装置５をもって手前に引くことでカード型記録装置５を抜去することが出来る。このイジェクトに関する動作については後述する。
【００２６】
図３（ｂ）はカード型記録装置５とスロット３１との関係、スロット３１の構造を説明する図である。図３（ｂ）において図３（ａ）と同じ機能のものには同じ番号を付した。図３（ｂ）において、４１はスロット基板であり伝熱手段１５にビスで固定されている。伝熱手段１５は金属製の筐体であり、カード型記録装置５で発生した熱をカメラ１内に拡散する。４２はスロットベース、４２ａはスロットベース上に設けられたスロットコネクタ部、４２ｂはスロットベース上に設けられ図３（ｂ）では見えない位置にあるが４２ｃと対応する位置に存在するスロット左側面ガイド部、４２ｃはスロットベース上に設けられたスロット右側面ガイド部、４２ｄはスロットベース上に設けられたカード突きあて面である。
【００２７】
４３はスロットベース４２に圧入保持された複数のスロット電気接点を、４４はスロットベース４２に固定された複数のカード放熱部材を示している。４５はスロットベース４２に係合するスロットカバーを、４６はイジェクト機構を操作するためのイジェクトボタンを、４７はスロットカバー上に設けられたイジェクト機構を示している。４７は後述すように複数の部品で構成される。４８はカメラ１のカバー１ａに取り付けられたイジェクター放熱部品であり、ユーザーがカード型記録装置５を排出する動作を行った際に、イジェクター４７と接触して熱を伝える。
【００２８】
これについての詳細は後述する。５０はカード型記録装置５をスロット３０に挿入するときの方向を示す矢印を、５１はカード型記録装置の天面を、５２はカード型記録装置に設けられた電気接点のカードコネクタ部を、５５ａはカード左側面に設けられたカード左側面ガイド部を、５６ａはカード右側面に設けられたカード右側面ガイド部をそれぞれ示している。また５９は放熱部であり、カード型記録装置５の内部素子（電源IC２７、コントローラ２８、フラッシュメモリ２９）と熱的に接続されている。
【００２９】
スロット３１はスロットベース４２、スロットベース４２に圧入されたスロット電気接点４３、スロットベース４２に固定されたカード放熱部材４４およびスロットベース４２に係合するスロットカバー４５からなっている。
【００３０】
スロットベース４２はリフローに耐えられる耐熱性、小型薄型に作成するための薄肉性および複雑形状を作成可能な湯流れ性および摺動性等の観点からＬＣＰ（液晶ポリマー）の成形品で形成されている。スロット電気接点４３は接点を適当に接触させるためのバネ性、半田のぬれ性、接点電気抵抗等の観点からリン青銅に適当なメッキ処理（金メッキなど）したもので形成されている。カード放熱部材４４は熱伝導性、耐摩耗性等の観点から純銅若しくは銅合金を適当なメッキ処理（硬質クロムメッキなど）したもので形成されている。スロットカバー４５は薄肉での強度、加工性、耐食性などの観点からステンレスのバネ鋼で形成されている。
【００３１】
カード型記録装置５はスロットカバー４５で粗く位置決めされ（多くのガタをもって案内）ながら矢印５０方向に挿入される。その後、カード型記録装置５に設けられたカード左側面ガイド部５５ａとスロットベース４２上に設けられたスロット左側面ガイド部４２ｂ、およびカード型記録装置５に設けられたカード右側面ガイド部５６ａとスロットベース４２上に設けられたスロット右側面ガイド部４２ｃによってより精密に位置決めされたのち通信可能な位置まで挿入される。最終的に、後述するカード押圧部４７１とカード型記録装置５上の放熱部５９が接触する位置まで挿入される。この位置では、スロットコネクタ部４２ａに対して、カード型記録装置５のカードコネクタ部５２が所定の長さ差し込まれた状態となっており、安定した通信が可能となる。
【００３２】
次に図４を用いて、イジェクト機構４７の詳細構成を説明する。イジェクト機構４７はカード押圧部４７１、回動部４７２、スライド部４７３で構成される。カード押圧部４７１にはカード接触部４７１ｃが２箇所に設けられており、カード型記録装置５に設けられた放熱部５９の位置でカード型記録装置５と接触する。前述したようにカード型記録装置５の内部素子と放熱部５９は熱的に接続されているので、カード内部で発生した熱は放熱部５９、カード接触部４７１ｃを介して、カード押圧部４７１に伝達される。
【００３３】
回動部４７２は、開口部４７２ａによって、スロットカバー４５上に設けられた回転軸４５ａと回動可能に係合している。また、係合部４７２ｂが、カード押圧部４７１上の係合軸４７１ｂと係合する。これによって回動部４７２は回転軸４５ａ中心に回動し、その回動動作が係合軸４７１ｂを介して伝わるため、カード押圧部４７１はカード挿抜方向に進退する事が可能である。また、前述したように、カード押圧部４７１にはカード型記録装置５の熱が伝わるため、係合軸４７１ｂを介して、この熱が回動部４７２まで伝達される。また回動部４７２には接触放熱部４７２ｃが設けられており、回動部４７２が回動すると、イジェクター放熱部品４８と接触してカード型記録装置の熱を放熱する。後述するように放熱部品４８に伝わった熱はカメラのカバー１ａに放熱される。
【００３４】
スライド部４７３はスロットカバー４５に対してカード挿抜方向にスライド可能に保持され、ユーザーが操作するイジェクトボタン４６が一端に配置され、他端に回動部４７２と係合するスライド係合部４７３ｄが設けられている。スライド係合部４７３ｄは回動部４７２に設けられたスライド係合爪４７２ｄと係合し、スライド部材４７３のスライド動作を回動部４７２に伝達する。この様な構成にすることによって、ユーザーがイジェクトボタン４６を押圧することで、スライド部４７３がスライドし、その動作によって回動部４７２が回動し、カード押圧部４７１がカード排出方向に移動しカードを排出する事が可能となる。
【００３５】
前述したように、カード型記録装置５のカードコネクタ部５２がスロットコネクタ部４２ａと所定の長さで接触しているため、イジェクトボタン４６の押圧によりカード型記録装置５が移動を始めてから上記所定の長さを移動するまでは、カードコネクタ部５２とスロットコネクタ部４２ａの間で摩擦力が発生し、ユーザーはそれを越える力でイジェクトボタン４６を押圧する事が必要となる。従って、カード排出時のイジェクトボタン４６の操作感としては、押し始めから所定のストロークまでは重いが、途中から急に軽くなる。
【００３６】
次に図５、図６を用いて、カード型記録装置挿入時および排出時の放熱構成について説明する。図５（ａ）はカード型記録装置５が挿入されたスロット３１をカメラ横方向から見た図であり、図に示すＡ−Ａ切断線での断面図が図５（ｂ）である。
【００３７】
カード型記録装置５の内部で発生した熱は、放熱部５９まで伝達する。図５に示すようにカード挿入状態では放熱部５９は、カード押圧部４７１上のカード接触部４７１ｃに当接する。またカード接触部４７１ｃはカード放熱部材４４に当接しており、カード放熱部材４４は、ビス４４１によって、スロット基板４１、スロットベース４２と共に、伝熱手段１５に締結される。このような構成とする事で、カード型記録装置５の内部素子で発生した熱は、まず放熱部５９からカード押圧部４７１上のカード接触部４７１ｃに伝わり、そこから、カード放熱部材４４、ビス４４１の順番で接触箇所を介して伝熱し、最終的に伝熱手段１５に到達する。前述したように、伝熱手段１５はカメラ１内部に熱を拡散するので、カード型記録装置５が挿入されている状態では、発生した熱はカメラ内部に効果的に拡散され、カード型記録装置５の温度上昇を抑制する事が可能となる。
【００３８】
図６は図５と同等の方向から、カード型記録装置５排出中の状態を表した図である。ユーザーがイジェクトボタン４６を矢印Ｂ方向に押圧すると、前述したようにスライド部４７３がスライド、回動部４７２が回動し、カード押圧部４７１をカード排出方向（矢印Ｃ方向）に駆動する。これによってカード型記録部材５が排出方向に移動する。スライド部４７３がスライド可能な限界までイジェクトボタン４６を押し込むと、カード型記録装置５の排出動作は完了し、ユーザーはスロット３１から突出したカード型記録装置５を容易に取り出すことが可能になる。
【００３９】
なお、図６はカード型記録装置５が移動している最中、つまりイジェクトボタンが限界まで押圧されていない状態を表している。以下にこの状態でのカード型記録装置５で発生した熱を放熱する構成について説明する。
前述したようにカード型記録装置５の内部素子で発生した熱は、放熱部５９に伝達される。
【００４０】
図６に示すようなカード排出状態においても、カード押圧部４７１はカード接触部４７１ｃで常に放熱部５９に接触している。このため、カード押圧部４７１までカード型記録装置５の熱が伝わる。一方、この状態ではカード押圧部４７１が移動し、カード放熱部材４４とは当接しない状態となっている。よって、カード押圧部４７１に流入した熱をカード放熱部材４４からビス４４１を通って伝熱手段１５に逃がす事は出来ない。
【００４１】
カード押圧部４７１に伝わった熱は、カード押圧部４７１上の係合軸４７１ｂから係合部４７２ｂを介して回動部４７２に伝達される。そして、回動部４７２に設けられた接触放熱部４７２ｃによってイジェクター放熱部４８に放熱される。イジェクター放熱部４８は、回動部４７２の回動によって接触放熱部４７２ｃが移動する軌跡上に配置されており、図６に示すようにイジェクトボタン４６が所定の長さ押し込まれた場合に接触放熱部４７２ｃと接触する。イジェクター放熱部４８は金属製で板バネ形状をしているため、接触放熱部４７２の移動に伴って４８ａで示すように変形する事が出来る。
【００４２】
また、イジェクター放熱部４８はビス４８１によってカメラ１のカバー１ａに固定されている。図６にはカバー１ａの固定部付近のみを示す。このような構成にすることで、カード型記録装置５の排出動作の途中から回動部４７２の接触放熱部４７２ｃがイジェクター放熱部４８に接触し、カード排出動作が完了するまで接触放熱部４７２ｃとイジェクター放熱部４８が接触した状態を保つことができる。
【００４３】
これにより、カード排出動作中においても、カード型記録装置５の熱は接触放熱部４７２ｃからイジェクター放熱部４８を介してカメラ１のカバー１ａに伝達される。カード型記録装置５挿入時に熱を逃がしていた伝熱手段１５はカメラ1内部に位置するために、温度が上がり易い。一方でカバー１ａは外気と接しているため温度が上がりにくく、伝達された熱は即座に外気に放出され、効果的にカード型記録部材の温度を下げる事が可能である。一般的に、カード型記録装置５は撮影データの書き込みなどで、使用中は温度が上がり易い。
【００４４】
このためユーザーがカード型記録装置５を取り出した時に、十分に温度が低下していないと、ユーザーが違和感を感じる懸念がある。本実施例の構成では、ユーザーがカード型記録装置に触れる直前の排出動作中までカード型記録装置５の熱を放熱する事が可能なので、上記の様にユーザーに違和感を与える可能性を低下させることができる。
【００４５】
また、４８ａで示されているように、回動部４７２の移動に伴ってイジェクター放熱部４８が変形すると回動部４７２に反力が作用するため、４７２の移動速度は低下し、ユーザーが操作しているイジェクトボタン４６には押圧方向と反対向きの力が発生する。このイジェクター放熱部４８の反力による操作力の増加が、前述したカードコネクタ部５２とスロットコネクタ部４２ａの摩擦力と合算されると、イジェクト操作に必要な力が増大してしまう。
【００４６】
そのため、本実施例においては、カード型記録装置５が所定の距離を移動して、カードコネクタ部５２とスロットコネクタ部４２ａが接触しなくなった後に、回動部４７２の接触放熱部４７２ｃがイジェクター放熱部４８と接触を開始するように構成されている。このような構成とすることで、操作力の増大を防ぎながらイジェクト機構４７からの放熱を行う事が出来る。
【００４７】
また、カードコネクタ部５２の摩擦がなくなった後に、イジェクター放熱部４８によってイジェクト機構４７に再びカード排出を阻害する方向に力が発生するため、カード押圧部４７１の移動速度を抑制し、イジェクトボタン４７を押し込んだ際にカード型記録装置５がスロット３１から飛び出てしまう事を防止できる。
【００４８】
（実施例２）
本発明の第２の実施形態について説明する。なお、第１の実施形態と同様の構成には同様の符号を付し、詳細な説明は省略する。図７は第２の実施形態に関して、図５と同等の状態を表した図である。第１の実施形態との違いはスロットカバー４５に設けられた切欠き部４５１と回動部４７２の形状にある。開口部４７２ａを中心とする回動動作における先端部４７２ｄと係合部４７２ｂの距離が第１の実施形態より長く取られている。また切欠き部４５１も第1の実施形態より大きい。その他の構成は図５と同等である。
【００４９】
図８は第２の実施形態に関して、図６と同等の状態を表した図である。ユーザーがイジェクトボタン４６を押圧すると、回動部４７２が開口部４７２ａを中心として回動する。先端部４７２ｄはスロットカバー４５に設けられた切欠き部４５１をくぐり、図に破線で示す位置まで移動し、カード型記録装置５の天面５１と接触する。従って、回動部４７２にはカード型記録装置５の熱が天面５１を通じて直に伝わる事となる。この状態でも、第１の実施形態と同様に、カード型記録装置５の放熱部５９からカード押圧部４７１を通じて回動部４７２に至る伝熱経路も確保されている。また同様に、回動部４７２上の接触放熱部４７２ｃはイジェクター放熱部４８に接触する。
【００５０】
このような構成を取る事により、カード型記録部材５の熱を、回動部４７２が天面５１と接触する経路と、カード押圧部４７１を介して回動部４７２に至る経路の２経路でイジェクター放熱部に熱を伝える事が可能となるため、効果的にカード型記録装置５の温度を低下させることが可能となる。
【００５１】
以上、本発明の好ましい実施形態について説明したが、本発明はこれらの実施形態に限定されず、その要旨の範囲内で種々の変形及び変更が可能である。
【符号の説明】
【００５２】
１  カメラ本体
５  カード型記録装置
３１  スロット
４７  イジェクト機構
５９  放熱部
【図１】
2018148024.tif 000003
【図２】
2018148024.tif 000004
【図３】
2018148024.tif 000005
【図４】
2018148024.tif 000006
【図５】
2018148024.tif 000007
【図６】
2018148024.tif 000008
【図７】
2018148024.tif 000009
【図８】
2018148024.tif 000010